(57)【要約】      （修正有）【課題】仕掛けを投入する際の絡みを防止する為の天秤枝の枝基部を、浮きやコマセカゴの一部分に突出した部分に直接着合して設け、飛行時及び沈降時に、天秤枝が直角に突出した状態に保もたれ、極めて簡単な構造で絡みを防止できる天秤仕掛けを提供する。【解決手段】浮き９やコマセカゴの一部に突出した先穴４の基部に、線材の平行部６を設け、又はウキゴム端に扁平部を設け、これに天秤枝１３の枝基部５の長穴が回転することなく着合して、長穴を天秤枝に対し一定の角度を持たせる事により、浮き９やコマセカゴの飛行時及び沈降時に、天秤枝１３を直角に突出した状態に保ち、仕掛けの絡みを防止する。【選択図】図１
0003208629.tif 000002
【実用新案登録請求の範囲】
【請求項１】
浮き９、コマセカゴ１９の一部に突出した先穴４の基部に線材の平行部６を設け、又はウキゴム端２８に扁平部２９を設け、これに、枝基部５の天秤枝１３に対して一定の角度を持つ長穴１５を嵌合し、天秤枝１３が、浮き９、コマセカゴ１９の飛行時、及び沈降時に直角に突出した状態に保もたれる天秤仕掛け。
【請求項２】
先穴４の基部の線材を列設した平行部６を延長して延長部２２を設け、その端に小還２４を設け、この小環２４を通して延長部２２に着脱出来る大きさの引き通し穴２１を設けた浮き９を嵌合して設け、浮き９が仕掛けの投入時に延長部２２に嵌合した状態に保たれ、飛行時、及び沈降時に直角に突出した状態に保もたれる請求項１の天秤仕掛け。
【請求項３】
浮き９、コマセカゴ１９の一部に突出した、先穴４の基部の線材を列設した平行部６に、又はウキゴム端２８に設けた扁平部２９に嵌合する天秤枝１３の長穴５に、開口部１６を設け、リング１１で嵌め外しが出来て、リング１１を外した時は、開口部１６より平行部６を脱離することの出来る請求項１又は請求項２の天秤仕掛け。
【考案の詳細な説明】
【実用新案の詳細な説明】
【技術分野】
【０００１】  浮き釣りに於いて、仕掛けを絡ませないで、より遠くに投入する釣りに関るものである。
【背景技術】
【０００２】  浮き釣りに於いては、ラインに沿い多くの部品が列設される。中でも浮き、コマセカゴは主要な部品であり、大きい為に投入時に最も絡みを起こす原因とされている、この絡みを防止する為に多くの考案がなされている、
【考案の効果】
【０００３】浮き９やコマセカゴ１９の一部として、他の部品と連結するために通常設けられている突出した先穴４の基部に、線材を列設した平行部６を設け、又は、ウキゴム端２８に扁平部２９を設け、これに直接、天秤枝１３の枝基部５の長穴１５を嵌合又は着脱可能に嵌合して設ける事により、仕掛けの投入時に、浮き９、コマセカゴ１９に対して天秤枝１３が回転する事無く、略直角に突出した状態に保たれ、仕掛けの絡みを防止するもので、天秤枝１３が着脱出来る事により、携帯に便利であり、且つ、他の仕掛けに使い回す事、長さの異なる天秤枝１３と交換する事が出来、更に引き通し浮き等、他の部品にも利用可能で、先穴４の基部の僅かな部分の平行部６、又は扁平部２９を利用する事のみで、大幅な改造を加える事無く使行出来る、と共に、コストの削減が出来、十分な絡みを防止の効果を得る事ができる。
【図面の簡単な説明】
【０００４】
【図１】  浮き９を取り付け、仕掛けを吊り下げた状態、又は飛行する状態を示す正面図。
【図２】  コマセカゴ１９を付け、仕掛けが飛行する又は沈降する状態を示す正面図。
【図３】  天秤枝１３の正面図。
【図４】  天秤枝１３の側面図
【図５】  引き通しの浮き９を付け、仕掛けが飛行する又は沈降する状態を示す正面図。
【図６】  引き通しの浮き９が、離脱した状態を示す正面図。
【図７】  道糸がウキゴム２７で着合する浮き９の正面図。
【実施の形態】
【０００５】  第一図は、浮き９に付けた例で、吊り下げた状態を示し、道糸１にはウキ止め２、シモリ玉３が付けられ、先穴４を通りサルカン１０に結ばれ、その先にハリス１２が結ばれ枝先穴を通り、針先に延びる遊動式仕掛で、浮き９の先穴４の基部に平行部６が設けられ、これに天秤枝１３の枝基部５の長穴１５が嵌合する、天秤枝１３は点線位置Ａまでの回動可能で、仕掛けを投入すると矢印方向に飛行し、第一図の様に天秤枝１３はほぼ直角に保たれ、ハリスの絡むのを防止す働きをする、この時道糸１は、点線のＡ方向にのびる。浮き９にはオモリ７が内装されて居て、投入飛行時に天秤枝１３の枝基部５を押しつつ飛行する。水面に浮く時は立浮きとなって浮かび、この時、天秤枝１３は吊り下げられた状態Ａに移行して、下からのアタリが効率よく伝わる
【０００６】    第２図はコマセカゴ１９を付けた第２例を示すもので、図は矢印Ａ方向に飛行する状態を示す、コマセカゴ１９の先穴４の基部に平行部６を設け、これに天秤枝１３の枝基部５の長穴１５が嵌合し、天秤枝１３が投入飛行時にほぼ直角の状態に保たれ、ハリス１２の絡むのを防止す様に働き、この状態で水中に沈降し、タナに到達した時は、天秤枝１３がＡに移行し、下からのアタリが効率よく伝えられる。
第４図に示す様に、いずれの例に於いても、天秤枝１３の長穴１５は開口部１６を有し、通常はリング１１にて閉じられていて、リング１１を１１Ａに移動する時は開口部１６を開き、平行部６、又は扁平部２７より天秤枝１３を離脱する様に設けることが出来る。。
【０００７】  第５図、第６図は第３例を示すもので、道糸１はシモリ玉３、小還２４、浮き９の引き通し穴２１、及び中穴２６を通りサルカン１０に結ばれる、サルカン１０の先にハリスが結ばれて、枝先穴１４を通り針先に延びる。
先穴４の基部の平行部６を延長して、片側の端には天秤枝１３の方向を向いた中穴２６を設け、もう一方は更に延長して端に小環２４が設けられる。芯に小環２４が通る大きさの引き通し穴２１持ち、一部にオモリ７を内装した中通しの浮き９を、小環４と共に延長部２２に嵌合する。仕掛の投入時には第５図の様に天秤枝１３がほぼ直角に保たれて、ハリス１２の絡むのを防止する働きをし、この状態で水中に沈降し、タナに到達した時は、天秤枝１３はＡ位置に移行し、下からのアタリが効率良く伝えられる
中通しの浮き９は、仕掛けの着水後に延長部２２より抜離して、第６図の様に天秤を離れて浮き止め２まで遊道する。
【０００８】  第７図は浮き９をウキゴム２７により道糸１に着合する例で、ウキゴム端２８の一部に、断面が扁平な扁平部２９を設け、これに天秤枝１３の長穴１が着合するもので、仕掛け投入時には図の様に天秤枝１３がほぼ直角に保たれ、ハリス１２の絡むのを防止する働きをし、着水後は、天秤枝１３は下を向き、下からのアタリが効率良く伝えられる。
【符号の説明】１  道糸                  １０  サルカン            ２２  延長部
２  ウキドメ              １１  リング              ２１  引き通し穴
３  シモリ玉              １２  ハリス              ２４  小環
４  先穴                  １３  天秤枝              ２５  突出部
５  枝基部                １４  枝先穴              ２６  中穴
６  平行部                １５  長穴                ２７  ウキゴム
７  オモリ                １６  開口部              ２８  ウキゴム端
９  浮き                  １９  コマセカゴ          ２９  扁平部
【図１】
0003208629.tif 000003
【図２】
0003208629.tif 000004
【図３】
0003208629.tif 000005
【図４】
0003208629.tif 000006
【図５】
0003208629.tif 000007
【図６】
0003208629.tif 000008
【図７】
0003208629.tif 000009